(57)【要約】      （修正有）【課題】汎用性がありかつ再利用性も高く、管理対象物が生産・加工工程にある場合であっても、管理対象物の生産・加工等の邪魔になり難いタグ保持体を提供する。【解決手段】ＩＣタグ３と、ＩＣタグ３を所定箇所に少なくとも１つ保持するタグ保持具４と、を有するタグ保持体１であって、タグ保持具４は、開口を拡げることができる係合凹部２１を有するタグ保持体１とする。【選択図】図２
2009271741.tif 000002
【特許請求の範囲】
【請求項１】
ＩＣタグと、上記ＩＣタグを所定箇所に少なくとも１つ保持するタグ保持具と、を有するタグ保持体であって、
上記タグ保持具は、開口を拡げることができる係合凹部を有することを特徴とするタグ保持体。
【請求項２】
前記タグ保持具は、前記開口とは反対側に突出している凸部を有し、
その凸部の両側に弾性を有する脚部が配置されていることを特徴とする請求項１に記載のタグ保持体。
【請求項３】
前記ＩＣタグを、前記凸部の外周面上に保持することを特徴とする請求項２に記載のタグ保持体。
【請求項４】
前記ＩＣタグを、前記タグ保持具の外周面に複数有することを特徴とする請求項１から請求項３のいずれか1項に記載のタグ保持体。
【発明の詳細な説明】
【技術分野】
【０００１】
本発明は、ＩＣタグを有するタグ保持体に関する。
【背景技術】
【０００２】
従来から、ＩＣタグを保持するためのＩＣタグ保持体が本願発明者によって提案されている（たとえば、特許文献１参照）。この特許文献１に記載のＩＣタグ保持体は、箱形状に形成されており、内部はＩＣタグを着脱自在に収納する収納部となっている。そのため、このＩＣタグ保持体では、ＩＣタグの再利用が可能となっている。また、特許文献１に記載のＩＣタグ保持体には、ＩＣタグを装着しようとする管理対象物にＩＣタグ保持体を取り付けるための取り付け部が形成されている。
【０００３】
また、他の従来のＩＣタグ保持体は、図８に示すように管理対象物５３を載置したパレット５０にＩＣタグ５１を備えさせ、このＩＣタグ５１にリーダライタ５２で管理対象物５３に関連する管理情報を読み取る又は書き込むことで生産・加工工程にある管理対象物を管理している。
【０００４】
【特許文献１】特開２００７−１６４５６９号公報
【発明の開示】
【発明が解決しようとする課題】
【０００５】
しかしながら、特許文献１に記載のＩＣタグ保持体は、箱形状に形成されているため、取り付け部を管理対象物に合わせて形成する必要がある。したがって、このＩＣタグ保持体は、同一形状の管理対象物にしか使用できないため汎用性が低く、多様な管理対象物に用いたり、他の管理対象物に再利用したりすることが困難である。
【０００６】
また、図８に示すような従来の管理方法では、５４で他の工程に搬送する場合に、ＩＣタグ５１を備えるパレット５０と管理対象物５３とが分離してしまい、生産・加工工程における管理対象物５３を管理することができない。
【０００７】
そこで、本発明の課題は、汎用性がありかつ再利用性も高く、管理対象物が生産・加工工程にある場合であっても、管理対象物に装着したままとできるタグ保持体を提供することにある。
【課題を解決するための手段】
【０００８】
上記の課題を解決するため、本発明のタグ保持体は、ＩＣタグと、ＩＣタグを所定箇所に少なくとも１つ保持するタグ保持具と、を有するタグ保持体であって、タグ保持具は、開口を拡げることができる係合凹部を有することことを特徴とする。
【０００９】
本発明のタグ保持体は、ＩＣタグと、管理対象物の外形に沿った係合凹部を有した弾性部材からなるタグ保持具とから形成されている。そのため、タグ保持具の弾性により管理対象物の形状に略密着するようにタグ保持部を変形させることが可能になる。その結果、本発明のタグ保持体は、多様な管理対象物にＩＣタグを装着することが可能となるため、タグ保持体の汎用性および再利用性が高まる。また、本発明のタグ保持体は、管理対象物に略密着させて装着するため、管理対象物の生産・加工等の邪魔となり難い。
【００１０】
本発明において、タグ保持具は、開口とは反対側に突出している凸部を有し、その凸部の両側に弾性を有する脚部が配置されていることが好ましい。このように構成すると、本発明のタグ保持体を、生産・加工工程を終えた管理対象物から容易に取り外すことができる。したがって、本発明のタグ保持体を繰り返して使用することが可能となり、他の管理対象物に容易に再利用することができる。
【００１１】
本発明において、ＩＣタグを、凸部の外周面上に保持することが好ましい。このように構成すると、ＩＣタグに管理情報を書き込む又は読み取ることが容易となる。また、凸部の凸面上にＩＣタグを保持した場合は、係合凹部の側面上や曲面上にＩＣタグを保持する場合と比べて、ＩＣタグが曲がらず、長年使用してもＩＣタグ自体の金属疲労が起こりにくくなるため、ＩＣタグの再利用性が、更に高まる。
【００１２】
本発明において、ＩＣタグを、タグ保持具の外周面に複数有することが好ましい。このように構成すると、管理対象物からＩＣタグに同じ内容が記録されている管理情報をあらゆる角度から読み取ることができるようになるため、リーダライタの設置場所が所定の箇所に限定されたり、制限されたりすることがない。
【発明の効果】
【００１３】
以上のように、本発明のタグ保持体では、汎用性がありかつ再利用性も高く、管理対象物が生産・加工工程時にあっても、管理対象物に装着したままとできるタグ保持体を提供することが可能になる。
【発明を実施するための最良の形態】
【００１４】
以下、本発明の実施の形態を図面に基づいて説明する。
【００１５】
（ＩＣタグ保持体の概略構成）
図１は、本発明の実施の形態に係るＩＣタグ保持体１（タグ保持体）と、ＩＣタグ保持体１を装着する管理対象物２を示す斜視図である。図２は、図１のＥ方向から見たＩＣタグ保持体１と管理対象物２の断面図である。図３は、図１に示すＩＣタグ保持体１を管理対象物２に装着し、ＩＣタグ３の内容をリーダライタ１０で読み取り又はＩＣタグ３に情報を書き込む状態を示す斜視図である。図４は、図３のＦ方向から見たＩＣタグ保持体１と管理対象物２と、リーダライタ１０の関係を示す図である。図５は、図１に示すＩＣタグ３の断面図である。図６は、図１に示したＩＣタグ保持体１とは異なる箇所にＩＣタグ３を保持した他のＩＣタグ保持体１Ａの例を示す断面図である。図７は、図１に示したＩＣタグ保持体１とは異なる箇所にもＩＣタグ３を保持したさらに他のＩＣタグ保持体１Ｂの例を示す断面図である。
【００１６】
本発明の実施の形態に係るＩＣタグ保持体１は、図３に示すように、管理対象物２を管理するために管理対象物２に装着されて使用される。このＩＣタグ保持体１は、図１から図４に示すように、ＩＣタグ３と、ＩＣタグ３を保持するＩＣタグ保持具４（タグ保持具）と、を有している。
【００１７】
ＩＣタグ３は、図５に示すように、略矩形の平板状に形成されている。このＩＣタグ３は、図示外のＩＣチップと、このＩＣチップに接続されるアンテナ１２と、を有している。ＩＣチップは、ＩＣタグ３の中心から外れた位置に配置されている。これはＩＣタグ３の中心は、通常最も変形されやすい箇所となるため、変形されにくい箇所となる周辺部にＩＣチップを配置している。アンテナ１２は、矩形状に形成されたＩＣタグ３の周縁に沿って配置されている。すなわち、本実施の形態では、コイルが矩形状に巻回されて形成されたアンテナ１２がＩＣタグ３の周縁に沿うように配置されている。
【００１８】
また、ＩＣタグ３は、図５に示すように、ＩＣタグ３の表面に配置される保護層１３と、アンテナ１２の絶縁を行なうための絶縁層１４と、磁性部材で形成される磁性層１５と、磁性層１５に固定される接着層１６とから構成されている。具体的には、保護層１３，絶縁層１４，磁性層１５および接着層１６が表面から裏面に向かってこの順番で積層されて、ＩＣタグ３が構成されている。
【００１９】
保護層１３は、可撓性を有する樹脂材料で形成された樹脂シートで構成されている。絶縁層１４は、可撓性および絶縁性を有する樹脂材料で形成された２枚の樹脂シートで構成されている。具体的には、２枚の樹脂シートがラミネート加工されて絶縁層１４が構成されている。図５に示すように、アンテナ１２は、ラミネート加工された２枚の樹脂シートの間に封入されている。磁性層１５は、可撓性を有する磁性シートで構成されている。接着層１６は、可撓性を有する両面テープで構成されている。
【００２０】
上述のように、本実施の形態では、保護層１３，絶縁層１４，磁性層１５および接着層１６はいずれも可撓性を有している。そのため、ＩＣタグ３は、全体として可撓性を有している。なお、絶縁層１４および磁性層１５には、ICチップを配置するための配置孔（図示せず）が形成されている。
【００２１】
ＩＣタグ保持具４は、図２に示すように、管理対象物２の外形に沿って形成され、開口を拡げることができる係合凹部２１と、この係合凹部２１を共同して形成する３つの部分、すなわち対線形状の脚部２２，２３と、脚部２２，２３をつなぐと共に、係合凹部２１の開口とは反対側に突出することとなる凸部２４と、を有している。また、ＩＣタグ保持具４は、脚部２２，２３が凸部２４を主点としてそれぞれ図２の矢印方向に開口し、係合凹部２１を拡げることができるように弾性部材によって形成されている。たとえば、ＩＣタグ保持具４は、形状記憶特性をもつＮｉ−Ｔｉ（ニッケル・チタニウム）などの金属材料や、ナイロン，アクリル，ポリエステルあるいはポリウレタン等の弾力性に富む樹脂材料で形成されている。なお、ＩＣタグ保持具４は、ゴム等で形成されても良い。また、ＩＣタグ保持具４は、たとえば、「ドライゾーンＲ５０６」や「モイスセンサー」等のポリエステルとポリウレタンとの複合材で形成されても良いし、インヴィスタ社製の「クールマックス」（登録商標）、旭化成せんい社製の「アクアミラクル」（登録商標）あるいはディアプレックス社製の「ディアプレックス」（登録商標）で形成されても良い。
【００２２】
上述のように、ＩＣタグ保持体１は、管理対象物２に装着されて使用される。本発明の実施の形態に係るＩＣタグ保持体１は、多種多様な管理対象物２に装着することが可能である。たとえば、ＩＣタグ保持体１が装着される管理対象物２は、鋼材で形成された自動車用のカムシャフトである場合には、管理対象物２であるカムシャフトの加工が施されない円柱部分にＩＣタグ保持体１が装着される。ＩＣタグ保持体１が装着された状態でこのカムシャフトの加工が行われる。すなわち、装着されたＩＣタグ保持体１からＩＣタグ３に記録されている管理情報をリーダライタ１０によって読み取る又は書き込んで、管理対象物２であるカムシャフトの生産・加工工程を管理することができる。なお、ＩＣタグ保持体１が装着される管理対象物２は、カムシャフト以外の鋼材で形成された棒材、角材等であってもよいし、アルミや真鍮等の他の金属や樹脂で形成された棒材や角材等であってもよい。
【００２３】
（本発明の実施の形態に係るＩＣタグ保持体の主な効果）
以上説明したように、本発明の実施の形態に係るＩＣタグ保持体１は、ＩＣタグ３と、管理対象物２の外形に沿って形成され、開口を拡げることができる係合凹部２１を有した弾性部材からなるＩＣタグ保持具４と、から形成されている。そのため、ＩＣタグ保持具４の弾性により管理対象物２の形状に略密着するようにＩＣタグ保持具４を変形させることが可能になる。その結果、ＩＣタグ３を有するＩＣタグ保持体１は、多様な管理対象物２に装着することが可能となるため、ＩＣタグ保持体１の汎用性および再利用性が高まる。また、ＩＣタグ保持体１は、係合凹部２１の開口を拡げて管理対象物２に略密着させて装着するため、管理対象物の生産・加工等の邪魔となり難い。
【００２４】
本発明の実施の形態に係るＩＣタグ保持体１に使用されるＩＣタグ保持具４は、係合凹部２１の開口とは反対側に突出している凸部２４を有し、凸部２４を支点として脚部２２，２３の間隔を広げることにより取り外しが可能である。このように構成すると、ＩＣタグ保持体１を、生産・加工工程を終えた管理対象物２から容易に取り外すことができる。したがって、繰り返して使用することが可能となり、ＩＣタグ保持体１を他の管理対象物２に再利用することができる。
【００２５】
本発明の実施の形態に係るＩＣタグ保持体１に使用されるＩＣタグ３を、凸部２４の外周面上に保持することが好ましい。このように構成すると、リーダライタ１０からＩＣタグ３に管理情報を書き込む又は読み取ることが容易となる。特に、凸部２４の凸面上にＩＣタグ３を保持した場合は、係合凹部２１の側面上や曲面上にＩＣタグ３を保持する場合と比べて、ＩＣタグ３が曲がらず、長年使用してもＩＣタグ３自体の金属疲労が起こりにくくなるため、ＩＣタグ３の再利用性が、更に高まる。
【００２６】
本発明の実施の形態に係るＩＣタグ保持体１に使用されるＩＣタグ３を、ＩＣタグ保持具４の外周面に複数有することが好ましい。このように構成すると、管理対象物２からＩＣタグ３に同じ内容が記録されている管理情報をあらゆる角度から読み取ることができるようになるため、リーダライタ１０の設置場所が所定の箇所に限定されたり、制限されたりすることがない。
【００２７】
本発明の実施の形態に係るＩＣタグ保持体１に使用されるＩＣタグ３は、可撓性を有している。特に、ＩＣチップが、ＩＣタグ３の中心からはずれた位置に配置している。そのため、管理対象物２の形状に応じてＩＣタグ３を比較的容易に変形させることが可能になる。したがって、管理対象物２が多様化する場合であっても、管理対象物２にＩＣタグ３を容易に装着することが可能になる。
【００２８】
（他の実施の形態）
上述した実施の形態は、本発明の好適な実施の形態の一例ではあるが、これに限定されるものではなく本発明の要旨を変更しない範囲において種々変形可能である。たとえば、上述した実施の形態では、ＩＣタグ保持具４の係合凹部２１は、管理対象物２であるカムシャフトの外形に略一致するように円弧上に形成され、開口を拡げることができるが、管理対象物２の形状によって、ＩＣタグ保持具４を正方形状や楕円形状等の他の形状に形成しても良い。具体的には、図６のＩＣタグ保持体のように脚部２２，２３を角形状とし、係合凹部２１の外形を多角形としてもよい。同様に、上述した実施の形態では、ＩＣタグ３は細長い帯状に形成されているが、ＩＣタグ３の形状を正方形状や楕円形状等の他の形状に形成しても良い。
【００２９】
また、上述した実施の形態では、ＩＣタグ３は、ＩＣタグ保持具４の側面に１つ保持されているが、図６に示すように凸部２４の凸面上に保持されるようにしてもよい。このように構成すると、脚部２２，２３の外周面上にＩＣタグ３を保持する場合と比べて、ＩＣタグ３が曲がらず、長年使用してもＩＣタグ３自体の金属疲労が起こりにくくなるため、ＩＣタグ３の再利用が、更に高まる。また、この他に図７に示すようにＩＣタグ保持具４の凸部２４、両脚部２２，２３の計3箇所にＩＣタグ３を備えさせて、３つのＩＣタグ３に記録されている管理情報をリーダライタ１０によって読み取る又は書き込むことができるようにしても良い。このような構成のＩＣタグ保持体１Ｂとすると、管理対象物２からＩＣタグ３に同じ内容が記録されている管理情報をあらゆる角度から読み取ることができるようになるため、リーダライタ１０の設置場所が所定の箇所に限定されたり、制限されたりすることがない。
【００３０】
また、上述の実施の形態では、リーダライタ１０は読み取りと書込みの双方が行なえるものとしたが、読み取り又は書込みの一方のみが行なえるものとしてもよい。また、複数のＩＣタグ３を１つのＩＣタグ保持体１，１Ａ，１Ｂが有する場合、各ＩＣタグ３の記録内容を同一とせず、異なる記録内容を有するＩＣタグ３としてもよい。更にＩＣタグ保持体１，１Ａ，１Ｂは、凸部２４、脚部２２，２３のいずれか一つのみ弾性を有するようにしたり、いずれか２つが弾性を有するように他の部分は弾性を有しないようにしてもよい。
【産業上の利用可能性】
【００３１】
本発明は、部品を管理するためのＩＣタグ保持体として利用することができる。本発明は、特に自動車用部品であるカムシャフトなどの加工対象物自体の管理をするためのＩＣタグ保持体として利用することができる。
【図面の簡単な説明】
【００３２】
【図１】本発明の実施の形態に係るＩＣタグ保持体（タグ保持体）と、ＩＣタグ保持体を装着する管理対象物を示す斜視図である。
【図２】図１のＥ方向から見たＩＣタグ保持体と管理対象物の断面図である。
【図３】図１に示すＩＣタグ保持体を管理対象物に装着しＩＣタグの内容をリーダライタで読み取り又はＩＣタグに情報を書き込む状態を示す斜視図である。
【図４】図３のＦ方向から見たＩＣタグ保持体と管理対象物の断面を示す断面図である。
【図５】図１に示すＩＣタグの断面図である。
【図６】図１に示したＩＣタグ保持体とは異なる他のＩＣタグ保持体の例を示す図である。
【図７】図１に示したＩＣタグ保持体とは異なる他のＩＣタグ保持体の更に他の例を示す図である。
【図８】従来のＩＣタグ保持体を示す図である。
【符号の説明】
【００３３】
１  ＩＣタグ保持体（タグ保持体）
２  管理対象物
３  ＩＣタグ
４  ＩＣタグ保持具（タグ保持具）
２１  係合凹部
２２、２３  脚部
２４  凸部
【図１】
2009271741.tif 000003
【図２】
2009271741.tif 000004
【図３】
2009271741.tif 000005
【図４】
2009271741.tif 000006
【図５】
2009271741.tif 000007
【図６】
2009271741.tif 000008
【図７】
2009271741.tif 000009
【図８】
2009271741.tif 000010